(57)【要約】【課題】本発明の目的は、コストを増加させることなく、ブラシケースの付勢部材保持面で付勢部材を確実に保持することが可能なブラシ保持装置を提供することにある。【解決手段】本発明は、ブラシ４０およびブラシバネ５０が収容されたブラシケース３０と、このブラシケース３０が配設されたプレート部材２０と、を備えたブラシ保持装置１０に関する。ブラシケース３０の整流子９３と反対側の部分には、ブラシバネ５０の付勢方向とほぼ垂直に折り曲げ可能なブラシバネ保持面３３が形成され、プレート部材２０のブラシケース３０が配設された部分よりも外側の部分には、プレート部材２０のブラシ配設面２０ａの上側へ突出する突起部２４が形成され、ブラシバネ保持面３３は、ブラシバネ５０の付勢方向とほぼ垂直に折り曲げられると共に、突起部２４に当接されている。【選択図】　図２
2004129366.tif 000002
【特許請求の範囲】
【請求項１】
ブラシと、該ブラシを整流子側へ付勢する付勢部材と、前記ブラシおよび前記付勢部材が収容されたブラシケースと、該ブラシケースが配設されたプレート部材と、を備えたブラシ保持装置において、
前記ブラシケースの前記整流子と反対側の部分には、前記付勢部材の付勢方向とほぼ垂直に折り曲げ可能な付勢部材保持面が形成され、
前記プレート部材の前記ブラシケースが配設された部分よりも外側の部分には、前記プレート部材のブラシケース配設面の上側へ突出する付勢部材保持面展開防止部が形成され、
前記付勢部材保持面は、前記付勢部材の付勢方向とほぼ垂直に折り曲げられると共に、前記付勢部材保持面展開防止部に当接されていることを特徴とするブラシ保持装置。
【請求項２】
前記付勢部材保持面展開防止部は、前記付勢部材保持面の一部と当接可能に形成されたことを特徴とする請求項１に記載のブラシ保持装置。
【請求項３】
前記プレート部材は、樹脂で構成され、
前記プレート部材には、前記ブラシ配設面と反対側へ弾性変形可能な弾性片が形成され、
前記付勢部材保持面展開防止部は、前記弾性片の自由端側の部分に配設されたことを特徴とする請求項１に記載のブラシ保持装置。
【請求項４】
前記付勢部材保持面展開防止部には、前記プレート部材の外側から内側に向かうに従って、前記ブラシ配設面の上側へ向かうように傾斜する傾斜面が形成されたことを特徴とする請求項３に記載のブラシ保持装置。
【請求項５】
請求項１乃至請求項４のいずれか一項に記載のブラシ保持装置を用いたことを特徴とする回転電機。
【発明の詳細な説明】
【０００１】
【発明の属する技術分野】
本発明は、ブラシ保持装置に係り、特に、ブラシおよびブラシバネを収容するブラシケースを備えたブラシ保持装置および回転電機に関する。
【０００２】
【従来の技術】
従来から、直流型の回転電機に用いられるブラシ保持装置としては、所定形状に打ち抜き加工された金属製薄板を折り曲げ加工することによりブラシケースを形成し、このブラシケース内にブラシおよびブラシバネを一体に収容したものが使用されている。
【０００３】
上記ブラシ保持装置において、ブラシケースは、ブラシおよびブラシバネを収容した状態で、ブラシケースの整流子と反対側の面を折り曲げてブラシバネの荷重を支える構成となっている（例えば、特許文献１参照）。
【０００４】
ところが、上記構成からなるブラシケースでは、ブラシケースの整流子と反対側の面（以下、ブラシバネ保持面という）の保持強度を十分に確保することができないため、ブラシバネの荷重によってブラシバネ保持面が押し戻されて展開してしまうことがあった。
【０００５】
このように、ブラシバネの荷重によってブラシバネ保持面が展開してしまうと、ブラシバネ保持面がヨークハウジングと接触してショートしてしまったり、ブラシバネのブラシへの加圧力が十分に得られなくなったりするなどの不具合があった。
【０００６】
このような不具合に対処するために、ブラシケース全体の板厚を増やすことも考えられるが、このようにすると、材料費が嵩み、モータ全体のコストを増加させる要因となる。
【０００７】
そこで、上記不具合に鑑みて、ブラシケースの整流子と反対側の開口部に、別部品であるストッパ部材を嵌め込むようにしてブラシバネの荷重を支える構成としたブラシ保持装置が考案されている（例えば、特許文献２参照）
【０００８】
その他にも、上記不具合に鑑みて、種々のブラシ保持装置が考案されている。例えば、図６に示すブラシ保持装置１１０では、ブラシ１４０およびブラシバネ１５０を収容するブラシケース１３０に、左右に二分割されたブラシバネ保持面１３３ａ，１３３ｂが形成されており、このようにして、ブラシバネ１５０の荷重に対する保持強度の向上が図られている。
【０００９】
また、図７に示すブラシ保持装置２１０では、ピッグテール２４１が通過するスリット２３５が、ブラシケース２３０の上面２３２から側面２３１に移設され、ブラシバネ保持面２３３がブラシケース２３０の上面２３２と一体になるように設けられている。
【００１０】
このように、スリット２３５がブラシケース２３０の上面２３２ではなく、側面２３１に形成されることにより、ブラシケース２３０の上面２３２におけるブラシバネ保持面２３３の取り付け強度が向上され、ブラシバネ２５０の荷重に対する保持強度の向上が図られている。
【００１１】
【特許文献１】
特開平８−１０２３５３号（第４−６頁、図２、図３）
【特許文献２】
特開平７−６７２９５号（第４−５頁、図３）
【００１２】
【発明が解決しようとする課題】
しかしながら、上記従来のブラシ保持装置では、以下に示すような不具合があった。
【００１３】
（１）特許文献２に記載のブラシ保持装置では、ブラシケースとは別に、ブラシバネの荷重を支えるためのストッパ部材を設けたことにより、構造が複雑となり、また、部品点数が増加するため、コストが嵩むという不具合がある。
【００１４】
（２）図６に示すブラシ保持装置では、ブラシケースに形成されたブラシバネ保持面が左右に二分割されているので、組立時において、単一のブラシバネ保持面が形成されたブラシケースを有するブラシ保持装置よりも、ブラシバネ保持面を折り曲げる工数が増加し、結果としてコストが増加するという不具合がある。
【００１５】
（３）図７に示すブラシ保持装置では、ピッグテールが通過するスリットをブラシケースの側面に設けているので、ブラシのピッグテール取り付け位置も側面にしなくてはならない。
【００１６】
従って、ピッグテールを側面に取り付けられるようにブラシの設計変更を行なわなくてはならず、また、構造が複雑となるため、結果としてコストが増加するという不具合がある。
【００１７】
また、ブラシケースの側面にピッグテールが通過するスリットを設けると、ブラシ保持装置の小型化が困難となり、また、一般にブラシケースの周囲部はスペースが少ないため、ブラシ保持装置の組立性も低下するという不具合がある。
【００１８】
本発明は、上記事情に鑑みてなされたものであって、その目的は、コストを増加させることなく、ブラシケースの付勢部材保持面で付勢部材を確実に保持することが可能なブラシ保持装置および回転電機を提供することにある。
【００１９】
また、本発明の他の目的は、ブラシケースを容易に組み立てることが可能なブラシ保持装置および回転電機を提供することにある。
【００２０】
【課題を解決するための手段】
前記課題は、請求項１に記載のブラシ保持装置によれば、ブラシと、該ブラシを整流子側へ付勢する付勢部材と、前記ブラシおよび前記付勢部材が収容されたブラシケースと、該ブラシケースが配設されたプレート部材と、を備えたブラシ保持装置において、前記ブラシケースの前記整流子と反対側の部分には、前記付勢部材の付勢方向とほぼ垂直に折り曲げ可能な付勢部材保持面が形成され、前記プレート部材の前記ブラシケースが配設された部分よりも外側の部分には、前記プレート部材のブラシケース配設面の上側へ突出する付勢部材保持面展開防止部が形成され、前記付勢部材保持面は、前記付勢部材の付勢方向とほぼ垂直に折り曲げられると共に、前記付勢部材保持面展開防止部に当接されていること、により解決される。
【００２１】
このように、ブラシケースの整流子と反対側の部分に、付勢部材の付勢方向とほぼ垂直に折り曲げ可能な付勢部材保持面が形成され、プレート部材のブラシケースが配設された部分よりも外側の部分に、プレート部材のブラシケース配設面の上側へ突出する付勢部材保持面展開防止部が形成され、付勢部材保持面が、付勢部材の付勢方向とほぼ垂直に折り曲げられると共に、付勢部材保持面展開防止部に当接されていると、付勢部材保持面は、付勢部材によって荷重を受けても、プレート部材の外側へ展開してしまうことがないので、ブラシケースの付勢部材保持面で付勢部材を確実に保持することが可能となる。
【００２２】
また、ブラシケースと一体で付勢部材保持面を形成すると共に、プレート部材に付勢部材保持面展開防止部を設けるという非常に簡易な構成で、ブラシケースの付勢部材保持面で付勢部材を確実に保持するという技術的効果を得ることが可能となる。
【００２３】
また、請求項２に記載のブラシ保持装置のように、請求項１に記載のブラシ保持装置において、付勢部材保持面展開防止部が、付勢部材保持面の一部と当接可能に形成されていると、付勢部材保持面展開防止部を設けたことによる材料費の増加が低く抑えられ、コストをほとんどかけることなく付勢部材の保持構造を形成することが可能となるので好適である。
【００２４】
また、請求項３に記載のブラシ保持装置のように、請求項１に記載のブラシ保持装置において、プレート部材が樹脂で構成され、プレート部材にブラシ配設面と反対側へ弾性変形可能な弾性片が形成され、付勢部材保持面展開防止部が弾性片の自由端側の部分に配設されていると、弾性片をブラシ配設面と反対側へ弾性変形させることにより、付勢部材保持面を折り曲げる際に付勢部材保持面展開防止部が邪魔にならないようにすることが可能となるので、これにより、ブラシケースを容易に組み立てることが可能となる。
【００２５】
また、請求項４に記載のブラシ保持装置のように、請求項３に記載のブラシ保持装置において、付勢部材保持面展開防止部に、プレート部材の外側から内側に向かうに従って、ブラシ配設面の上側へ向かうように傾斜する傾斜面が形成されていると、付勢部材保持面の折り曲げ時における付勢部材保持面と付勢部材保持面展開防止部との摺接抵抗を低減させることが可能となるので、これにより、ブラシケースを容易に組み立てることが可能となる。
【００２６】
また、請求項５に記載の回転電機のように、請求項１乃至請求項４のいずれか一項に記載のブラシ保持装置を用いているので、付勢部材保持面が付勢部材によって荷重を受けても、プレート部材の外側へ展開してしまうことがない。これにより、ブラシケースの付勢部材保持面で付勢部材を確実に保持することが可能となる。
【００２７】
また、ブラシケースと一体で付勢部材保持面を形成すると共に、プレート部材に付勢部材保持面展開防止部を設けるという非常に簡易な構成で、ブラシケースの付勢部材保持面で付勢部材を確実に保持するという技術的効果を得ることが可能となる。
【００２８】
【発明の実施の形態】
以下、本発明の一実施形態について、図を参照して説明する。なお、以下に説明する部材、配置等は、本発明を限定するものではなく、本発明の趣旨に沿って各種改変することができることは勿論である。
【００２９】
図１乃至図５は本発明の一実施形態を示す図で、図１はブラシ保持装置の正面図、図２は図１におけるＡ−Ａ線断面図、図３はブラシ保持装置のブラシケース配設部を図１におけるＢ−Ｂ方向から見た図、図４はプレート部材の正面図、図５は回転電機の側面断面図である。
【００３０】
図１に示す本発明の一実施形態に係るブラシ保持装置１０は、直流型の回転電機に用いられるものであり、プレート部材２０と、ブラシケース３０と、ブラシ４０と、付勢部材としてのブラシバネ５０と、を有して構成されている。
【００３１】
プレート部材２０は、樹脂製の円形基板で構成され、その中央部には、後述する回転電機６０に配設された整流子９３が挿入される貫通孔２１が形成されている。
【００３２】
プレート部材２０の貫通孔２１の近傍には、この貫通孔２１を挟むようにして一対のブラシケース３０が対向するように配設されており、このブラシケース３０の内部には、図２に示すように、プレート部材２０の半径方向内側から外側へ向けて順に、ブラシ４０と、ブラシバネ５０とが収容されている。
【００３３】
ブラシケース３０は、所定形状に打ち抜き加工された金属製薄板を折り曲げ加工することにより箱状体に構成されたものである。このブラシケース３０は、図２，図３に示すように、ブラシ４０の摺動方向と平行な側面３１ａ，３１ｂと、この側面３１ａと側面３１ｂとを繋ぐ上面３２と、上面３２の整流子９３と反対側の部分と一体に形成された後端面３３とを有して構成されている。
【００３４】
ブラシケース３０の上面３２には、図１に示すように、ブラシ４０の摺動方向に沿ってスリット３５が形成されており、このスリット３５を介してピッグテール４１がブラシ４０に配線接続されている。
【００３５】
ブラシケース３０の後端面３３は、図２に示すように、図中一点鎖線で示すような上面３２と平行な状態から、図中実線で示すようなブラシバネ５０の付勢方向Ｘとほぼ垂直に折り曲げられることにより、ブラシケース３０の内部に収容されたブラシバネ５０の端部を保持するものである。
【００３６】
このように、ブラシケース３０の後端面３３によってブラシバネ５０の端部が保持されることにより、スプリング状体からなるブラシバネ５０がブラシ４０を整流子９３側へ付勢し、ブラシ４０が整流子９３に押圧摺接されるようになっている。
【００３７】
なお、ブラシケース３０に形成された後端面３３は、本発明の付勢部材保持面に相当するものであり、以下、ブラシバネ保持面３３ということとする。
【００３８】
プレート部材２０のブラシケース３０が配設される部分には、図４に示すように、コの字状の切欠き部２２が２箇所ずつ形成されており、これにより、切欠き部２２の内側部分に、プレート部材２０の半径方向内側から外側に向けて延びる弾性片２３が形成されている。
【００３９】
この弾性片２３は、図２に示すように、図中実線で示すようなプレート部材２０と平行な状態から、図中一点鎖線で示すようなプレート部材２０のブラシ配設面２０ａと反対側へ弾性変形することができるようになっている。
【００４０】
そして、弾性片２３の自由端側の部分には、図２，図３に示すように、プレート部材２０のブラシ配設面２０ａ上へ突出する付勢部材保持面展開防止部としての突起部２４が形成されている。
【００４１】
この突起部２４は、ブラシバネ保持面３３の外側部分３３ａの一部と当接可能となるように形成されており、ブラシバネ５０の荷重によってブラシバネ保持面３３がプレート部材２０の半径方向外側に押し戻されて展開してしまうことを防止するために設けられたものである。
【００４２】
すなわち、本実施形態のブラシ保持装置１０では、ブラシバネ保持面３３のプレート部材２０における半径方向外側への移動が突起部２４によって規制され、ブラシバネ保持面３３がプレート部材２０の半径方向に押し戻されて展開してしまわないような構成となっている。
【００４３】
なお、突起部２４は、弾性片２３の自由端側の部分に配設されているので、弾性片２３をブラシ配設面２０ａと反対側へ弾性変形させることにより、ブラシバネ保持面３３を折り曲げる際、邪魔にならないようにすることが可能である。
【００４４】
そして、突起部２４のブラシバネ保持面３３に当接する部分と反対側の部分は、図２に示すように、プレート部材２０の半径方向外側から内側へ向かうに従って、プレート部材２０のブラシ配設面２０ａ上へ向かうように傾斜する傾斜面２４ａが形成されている。
【００４５】
この傾斜面２４ａは、ブラシバネ保持面３３の折り曲げ時に、ブラシバネ保持面３３の内側部分３３ｂに摺接される部分である。
【００４６】
このように、突起部２４に傾斜面２４ａが形成されていると、ブラシバネ保持面３３の折り曲げ時におけるブラシバネ保持面３３の内側部分３３ｂと突起部２４との摺接抵抗を低減させることが可能となり、また、弾性片２３を円滑にブラシ配設面２０ａと反対側へ弾性変形させることが可能となるので、これにより、ブラシケース３０を容易に組み立てることが可能となる。
【００４７】
また、本実施形態のブラシ保持装置１０では、上述のように、突起部２４によってブラシバネ保持面３３がプレート部材２０の半径方向に押し戻されて展開しないような構成となっているので、ブラシバネ保持面３３でブラシバネ５０を確実に保持することができ、ブラシバネ５０のブラシ４０への加圧力を十分に確保することが可能である。
【００４８】
また、ブラシバネ保持面３３の展開が突起部２４によって確実に防止されるので、ブラシ保持装置１０の外側に配設されるヨークハウジング（図５参照）とブラシバネ保持面３３が接触してショートしてしまうことを防止することが可能である。
【００４９】
次に、上記各構成からなるブラシ保持装置１０の組立方法について説明する。はじめに、所定形状に打ち抜き加工されたブラシケース３０において、側面３１ａ，３１ｂを、図３に示すように、プレート部材２０の軸方向と平行となるように折り曲げる。
【００５０】
このようにして、側面３１ａ，３１ｂが折り曲げられた状態で、ブラシケース３０の側面３１ａ，３１ｂにそれぞれ形成された係止片３４ａ，３４ｂを、プレート部材２０の所定箇所に形成された孔部２５ａ，２５ｂにそれぞれ挿入して折り曲げることによりブラシケース３０をプレート部材２０に固定する。なお、このとき、ブラシバネ保持面３３は、折り曲げずに、図２に示すような上面３２と平行となるような状態にしておく。
【００５１】
そして、ブラシケース３０をプレート部材２０に固定した状態で、ブラシケース３０の整流子９３と反対側の開口部からブラシ４０、ブラシバネ５０を順にブラシケース３０内に挿入する。
【００５２】
このようにして、ブラシケース３０の内部にブラシ４０およびブラシバネ５０を挿入した状態で、ブラシケース３０のブラシバネ保持面３３を、図２に示す図中一点鎖線で示すような上面３２と平行な状態から、図中実線で示すようなブラシバネ５０の付勢方向Ｘとほぼ垂直になるように折り曲げる。
【００５３】
このとき、ブラシバネ保持面３３の内側部分３３ｂが弾性片２３の突起部２４に形成された傾斜面２４ａに摺接されるため、これにより、弾性片２３は、図中実線で示すようなプレート部材２０と平行な状態から、図中一点鎖線で示すようなプレート部材２０のブラシ配設面２０ａと反対側へ弾性変形する。
【００５４】
そして、ブラシバネ保持面３３が、図中実線で示すようなブラシ保持装置１０の軸方向と平行になるような位置まで折り曲げられたとき、ブラシバネ保持面３３の内側部分３３ｂが突起部２４の傾斜面２４ａと当接しなくなるので、これにより、弾性片２３は、その弾性力によって図中実線で示すようなプレート部材２０と平行な状態に戻る。
【００５５】
弾性片２３が図中実線で示すようなプレート部材２０と平行な状態になると、ブラシバネ保持面３３の外側部分３３ａの一部が、突起部２４のブラシ４０側の部分に当接される。これにより、ブラシバネ保持面３３のプレート部材２０における半径方向外側への移動が突起部２４によって規制される。
【００５６】
このように、本実施形態のブラシ保持装置１０では、ブラシバネ保持面３３のプレート部材２０における半径方向外側への移動が突起部２４によって規制されることにより、ブラシバネ５０の荷重によってブラシバネ保持面３３がプレート部材２０の半径方向外側に押し戻されて展開してしまうことが防止される。
【００５７】
次に、本実施形態に係るブラシ保持装置を回転電機に適用した例について説明する。
【００５８】
図の符号６０は、本実施形態に係るブラシ保持装置１０を用いた回転電機である。この回転電機６０は、ヨークハウジング７０と、フロントフレーム８０と、電機子９０とを有して構成されている。
【００５９】
ヨークハウジング７０は、カップ状の中空体で形成されており、電機子９０等を収容するものである。ヨークハウジング７０の底面中央部には、回転電機６０の軸方向内側へ開口する凹状の軸受収容部７１が形成されており、この軸受収容部７１には、軸受７２が収容されている。
【００６０】
ヨークハウジング７０の筒状本体の内周面には、断面略扇形状からなる磁石で形成された固定子７３が周設され、ヨークハウジング７０の開口部７０ａには、フロントフレーム８０が図示しないネジ等によって一体に組付けられている
【００６１】
フロントフレーム８０は、ほぼ円板状の蓋体で構成されており、ヨークハウジング７０の開口部７０ａを塞ぐと共に、上述のブラシ保持装置１０を保持するためのものである。
【００６２】
フロントフレーム８０の中央部分には、図２に示すように、回転電機６０の軸方向内側へ開口する凹状の軸受収容部８１が形成されている。この軸受収容部８１には、軸受８２が収容されている。
【００６３】
電機子９０は、回転電機６０の軸方向に沿って形成された棒状体からなる回転軸９１を有して構成されている。回転軸９１の中央部分には、コア鉄心９２が固設され、回転軸９１のブラシ保持装置１０側の部分には、整流子９３が配設されている。
【００６４】
コア鉄心９２には、巻線９４が巻回されており、この巻線９４の端部は、整流子９３と電気的に接続されている。整流子９３は、ブラシ保持装置１０に保持されたブラシ４０と摺接可能に形成され、ブラシ４０から供給された電流を巻線９４に整流することができるように構成されている。
【００６５】
そして、回転電機６０では、回転軸９１の両端が軸受７２，８２にそれぞれ軸支されることによって、電機子９０全体が回転自在になっている。
【００６６】
また、図示しない外部電源供給装置からブラシ４０に所定の電圧が印加されることにより、ブラシ４０間に電流が流れて巻線９４に磁界が生じ、この磁界に対して固定子７３の吸引・反発力が作用することにより、電機子９０が回転駆動するようになっている。
【００６７】
そして、本実施形態の回転電機では、上述のブラシ保持装置１０を有して構成されているので、組立性が従来に比して向上されており、また、長期間使用しても、ブラシバネ５０の荷重によってブラシケース３０のブラシバネ保持面３３がプレート部材２０の半径方向外側へ押し戻されることがないので、ブラシバネ保持面３３がヨークハウジング７０と接触してショートしてしまったり、ブラシバネのブラシ４０へ加圧力が弱まったりすることを防止することが可能である。
【００６８】
上記したように、本実施形態によれば、以下の効果を奏する。
（イ）本実施形態のブラシ保持装置１０では、ブラシケース３０の整流子９３と反対側の部分に、ブラシバネ５０の付勢方向とほぼ垂直に折り曲げ可能なブラシバネ保持面３３が形成され、プレート部材２０のブラシケース３０が配設された部分よりも外側の部分に、プレート部材２０のブラシ配設面２０ａの上側へ突出する突起部２４が形成されている。
【００６９】
そして、ブラシバネ保持面３３が、ブラシバネ５０の付勢方向とほぼ垂直に折り曲げられると共に、突起部２４に当接されている。従って、ブラシバネ保持面３３は、ブラシバネ５０によって荷重を受けても、プレート部材２０の外側へ展開してしまうことがないので、これにより、ブラシケース３０のブラシバネ保持面３３でブラシバネ５０を確実に保持することが可能となる。
【００７０】
（ロ）また、ブラシケース３０と一体でブラシバネ保持面３３を形成すると共に、プレート部材２０に突起部２４を設けるという非常に簡易な構成で、ブラシケース３０のブラシバネ保持面３３でブラシバネ５０を確実に保持するという技術的効果を得ることが可能となる。
【００７１】
（ハ）また、突起部２４が、ブラシバネ保持面３３の一部と当接可能に形成されているので、突起部２４を設けたことによる材料費の増加が低く抑えられ、コストをほとんどかけることなくブラシバネ５０の保持構造を形成することが可能となる。
【００７２】
（ニ）また、プレート部材２０が樹脂で構成され、プレート部材２０にブラシ配設面２０ａと反対側へ弾性変形可能な弾性片２３が形成され、突起部２４が弾性片２３の自由端側の部分に配設されているので、弾性片２３をブラシ配設面２０ａと反対側へ弾性変形させることにより、ブラシバネ保持面３３を折り曲げる際に突起部２４が邪魔にならないようにすることが可能となるので、これにより、ブラシケース３０を容易に組み立てることが可能となる。
【００７３】
（ホ）また、突起部２４に、プレート部材２０の外側から内側に向かうに従って、ブラシ配設面２０ａの上側へ向かうように傾斜する傾斜面２４ａが形成されているので、ブラシバネ保持面３３の折り曲げ時におけるブラシバネ保持面３３の内側部分３３ｂと突起部２４との摺接抵抗を低減させることが可能となり、また、弾性片２３を円滑にブラシ配設面２０ａと反対側へ弾性変形させることが可能となる。これにより、ブラシケース３０を容易に組み立てることが可能となる。
【００７４】
（ヘ）また、本実施形態の回転電機６０は、上記ブラシ保持装置１０を用いているので、ブラシバネ保持面３３が、ブラシバネ５０によって荷重を受けても、プレート部材２０の外側へ展開してしまうことがない。これにより、ブラシケース３０のブラシバネ保持面３３でブラシバネ５０を確実に保持することが可能となる。
【００７５】
また、ブラシケース３０と一体でブラシバネ保持面３３を形成すると共に、プレート部材２０に突起部２４を設けるという非常に簡易な構成で、ブラシケース３０のブラシバネ保持面３３でブラシバネ５０を確実に保持するという技術的効果を得ることが可能となる。
【００７６】
なお、本発明の実施の形態は、以下のように改変することができる。
（ａ）本実施形態のブラシ保持装置１０において、ブラシバネ保持面３３は、ブラシケース３０の上面３２と一体に形成されていたが、本発明はこれに限定されるものではない。
【００７７】
ブラシバネ保持面３３は、側面３１ａ又は側面３１ｂのいずれかに配設され、側面３１ａ又は側面３１ｂと平行な状態から、ブラシバネ５０の付勢方向Ｘとほぼ垂直に折り曲げ可能に形成されていても良い。
【００７８】
（ｂ）本実施形態のブラシ保持装置１０において、ブラシバネ５０は、スプリング状体で構成されていたが、本発明の付勢部材はこれに限定されるものではなく、その他にも、ブラシケース３０に収容されてブラシ４０を付勢するものであれば、板バネ等で構成されていても良い。
【００７９】
（ｃ）本実施形形態のブラシ保持装置１０において、弾性片２３は、プレート部材２０の半径方向内側から外側に向けて延びるように形成されていたが、本発明はこれに限定されるものではない。
【００８０】
弾性片２３は、ブラシ配設面２０ａと反対側へ弾性変形可能に構成されていれば、プレート部材２０の接線方向に沿うように、ブラシケース３０の側面３１ａから側面３１ｂに向けて延びるように形成されていても良い。また、弾性片２３の数は、各ブラシケース３０に一つずつ設けられていても良い。
【００８１】
（ｄ）本実施形態のブラシ保持装置１０において、プレート部材２０には、一組のブラシケース３０が配設されていたが、本発明はこれに限定されるものではなく、ブラシケース３０は２組設けられていても良い。
【００８２】
【発明の効果】
以上詳述したように、本発明のブラシ保持装置によれば、ブラシケースの整流子と反対側の部分に、付勢部材の付勢方向とほぼ垂直に折り曲げ可能な付勢部材保持面が形成され、プレート部材のブラシケースが配設された部分よりも外側の部分に、プレート部材のブラシケース配設面の上側へ突出する付勢部材保持面展開防止部が形成され、付勢部材保持面が、付勢部材の付勢方向とほぼ垂直に折り曲げられると共に、付勢部材保持面展開防止部に当接されているので、付勢部材保持面は、付勢部材によって荷重を受けても、プレート部材の外側へ展開してしまうことがない。これにより、ブラシケースの付勢部材保持面で付勢部材を確実に保持することが可能となる。
【００８３】
また、ブラシケースと一体で付勢部材保持面を形成すると共に、プレート部材に付勢部材保持面展開防止部を設けるという非常に簡易な構成で、ブラシケースの付勢部材保持面で付勢部材を確実に保持するという技術的効果を得ることが可能となる。
【００８４】
また、本発明の回転電機によれば、ブラシ保持装置を用いているので、付勢部材保持面は、付勢部材によって荷重を受けても、プレート部材の外側へ展開してしまうことがない。これにより、ブラシケースの付勢部材保持面で付勢部材を確実に保持することが可能となる。
【００８５】
また、ブラシケースと一体で付勢部材保持面を形成すると共に、プレート部材に付勢部材保持面展開防止部を設けるという非常に簡易な構成で、ブラシケースの付勢部材保持面で付勢部材を確実に保持するという技術的効果を得ることが可能となる。
【図面の簡単な説明】
【図１】本発明の一実施形態に係るブラシ保持装置の正面図である。
【図２】図１におけるＡ−Ａ線断面図である。
【図３】本実施形態に係るブラシ保持装置のブラシケース配設部を図１におけるＢ−Ｂ方向から見た図である。
【図４】本発明の一実施形態に係るプレート部材の正面図である。
【図５】本発明の一実施形態に係る回転電機の側面断面図である。
【図６】従来のブラシケースの構成を示す説明図である。
【図７】従来の他のブラシケースの構成を示す説明図である。
【符号の説明】
１０，１１０，２１０　ブラシ保持装置、２０　プレート部材、２０ａ　ブラシ配設面、２１　貫通孔、２２　切欠き部、２３　弾性片、２４　突起部、２４ａ傾斜面、２５ａ，２５ｂ　孔部、３０，１３０，２３０　ブラシケース、３１ａ，３１ｂ，２３１　側面、３２，２３２　上面、３３　ブラシバネ保持面（後端面）、３３ａ　外側部分、３３ｂ　内側部分、３４ａ，３４ｂ　係止片、３５，２３５　スリット、４０，１４０，２４０　ブラシ、４１，２４１　ピッグテール、５０，１５０，２５０　ブラシバネ、６０　回転電機、７０　ヨークハウジング、７０ａ　開口部、７１，８１　軸受収容部、７２，８２　軸受、７３　固定子、８０　フロントフレーム、９０　電機子、９１　回転軸、９２　コア鉄心、９３　整流子、９４　巻線、１３３ａ，１３３ｂ，２３３　ブラシバネ保持面
【図１】
2004129366.tif 000003
【図２】
2004129366.tif 000004
【図３】
2004129366.tif 000005
【図４】
2004129366.tif 000006
【図５】
2004129366.tif 000007
【図６】
2004129366.tif 000008
【図７】
2004129366.tif 000009